【手続補正書】
【提出日】平成25年3月21日(2013.3.21)
【手続補正１】
【補正対象書類名】特許請求の範囲
【補正対象項目名】全文
【補正方法】変更
【補正の内容】
【特許請求の範囲】
【請求項１】
以下を含むビニル付加ノルボルネン型ポリマー：
式Ａにより表されるノルボルネン型モノマーから誘導される第１のタイプの反復単位：
【化１】
2013513705.tif 000001
ここにおいて、式Ａに関し、ｍは０〜３であり、Ｒ９、Ｒ１０、Ｒ１１およびＲ１２の少なくとも１つは、四級化されることを特徴とする官能基（ＦＧ）であり、他のものは、独立して、水素、Ｃ１〜Ｃ５アルキル、アリールまたはアルキル−アリール基である；
ならびに、
式Ｂにより表されるノルボルネン型モノマーから誘導される第２のタイプの反復単位：
【化２】
2013513705.tif 000002
ここにおいて、式Ｂに関し、ｍは先に定義したとおりであり、Ｒ１３、Ｒ１４、Ｒ１５およびＲ１６の少なくとも１つは、置換もしくは非置換架橋性基であり、他のものは、独立して、水素、Ｃ１〜Ｃ１２アルキル、アルキル−アリールまたはメチルグリコールエーテルである。
【請求項２】
第１のタイプの反復単位の官能基を四級化してＮ＋（ＣＨ３）３ＯＨ−を含ませる、請求項１のビニル付加ノルボルネン型ポリマー。
【請求項３】
以下を含むＲＯＭＰノルボルネン型ポリマー：
式Ｉにより表されるノルボルネン型モノマーから誘導される第１のタイプの反復単位：
【化３】
2013513705.tif 000003
ここにおいて、式Ｉに関し、ｍは０〜３であり、Ｒ１、Ｒ２、Ｒ３およびＲ４の少なくとも１つは、式ＩＩＩ： 
【化４】
2013513705.tif 000004
により表される側基であり、
ここにおいて、式ＩＩＩに関し、Ｒ’は、−（ＣＨ２）ｐ−［式中、ｐは０〜１２である］から選択され；Ａｒは１以上の芳香族環を有する芳香族基であり；Ｒ’’は、−（ＣＨ２）ｐ−［式中、ｐは０〜１２である］または−（ＣＨ２）ｓ−Ｏ−（ＣＨ２）ｔ−［式中、ｓおよびｔは、独立して１〜６である］から選択され、そして、Ｒ’’は、共有結合により第四アンモニウム官能基の窒素につながっており、Ｒａ、ＲｂおよびＲｃはそれぞれ、独立して、メチル、アリールまたはアルキル−アリール基［ここにおいて、アルキルはＣ１〜Ｃ４アルキルである］から選択され、そして、ｖは、１または２のいずれかであり、
Ｒ１、Ｒ２、Ｒ３およびＲ４の他のものは、独立して、水素、Ｃ１〜Ｃ１０アルキル、アリール、またはアルキル−アリール基である；ならびに、
式ＩＩにより表されるノルボルネン型モノマーから誘導される第２のタイプの反復単位：
【化５】
2013513705.tif 000005
ここにおいて、式ＩＩに関し、ｍは先に定義したとおりであり、Ｒ５、Ｒ６、Ｒ７およびＲ８の少なくとも１つは、置換もしくは非置換の−ＣＨ２ＯＣＨ２ＮＢ、−ＣＨ２（ＯＣＨ２ＣＨ２）２ＯＣＨ２ＮＢ、−ＣＨ２（ＯＣＨ２ＣＨ２）３ＯＣＨ２ＮＢ、−ＮＢ、−Ｃ２Ｈ４−ＮＢ、−Ｃ４Ｈ８−ＮＢ、−Ｃ６Ｈ１２−ＮＢ、−Ｃ６Ｈ４−ＮＢおよび−ＣＨ２Ｃ６Ｈ４ＣＨ２ＮＢから選択され、
Ｒ５、Ｒ６、Ｒ７およびＲ８の他のものは、独立して、水素、Ｃ１〜Ｃ１２アルキル、または末端ハロゲン化アルキル、アルキル−アリール［ここにおいて、アリール部分はハロゲン化されていてもよく、アルキルはＣ１〜Ｃ１２である］、またはメチルグリコールエーテル−ＣＨ２−（ＯＣＨ２ＣＨ２）ｑ−ＯＭｅ［式中、ｑは１〜４である］から選択され、
ただし、シクロペンタジエンおよびシクロオクテンは架橋剤部分ではないという条件が付く。
【請求項４】
請求項２のビニル付加ポリマーを含む、水酸化物伝導性アニオン性アルカリ交換膜。
【請求項５】
請求項３のＲＯＭＰポリマーを含む、水酸化物伝導性アニオン性アルカリ交換膜。
【請求項６】
請求項４または５の水酸化物伝導性アニオン性アルカリ交換膜を含むアルカリ燃料電池。
【請求項７】
活性層を有する第１の電極を含み、前記活性層が請求項２または請求項４のポリマーを含む、アルカリ燃料電池。
【請求項８】
請求項４の水酸化物伝導性アニオン性アルカリ交換膜と、活性層を有する第１の電極とを含むアルカリ燃料電池であって、前記活性層が請求項２のビニル付加ポリマーを含む、前記アルカリ燃料電池。
【請求項９】
請求項５の水酸化物伝導性アニオン性アルカリ交換膜と、活性層を有する第１の電極とを含むアルカリ燃料電池であって、前記活性層が請求項２のビニル付加ポリマーを含む、前記アルカリ燃料電池。
【請求項１０】
請求項５の水酸化物伝導性アニオン性アルカリ交換膜と、活性層を有する第１の電極とを含むアルカリ燃料電池であって、前記活性層が請求項３のビニル付加ポリマーを含む、前記アルカリ燃料電池。
【手続補正２】
【補正対象書類名】明細書
【補正対象項目名】０１０３
【補正方法】変更
【補正の内容】
【０１０３】
[0089]さらに、本開示に従ったポリマーの態様は、ＡＡＥＭ以外のＡＦＣの要素を形成するのにも有用であることを、理解すべきである。例えば、本明細書中で全体を参考として援用する米国特許出願公開第２００７／０１２８５００号の段落［００２８］〜［００３９］を参照すると、図２の電極２および４はそれぞれ活性層を包含し、そのような活性層２ａおよび４ａはそれぞれ、水酸化物イオンを伝導する要素を包含することが開示されている。本開示に従ったポリマーの態様のいくつかは、活性部分２ａおよび４ａのこの要素を形成するのに有用であると考えられる。
本願は以下の発明に関する開示を包含する。
（発明１）以下を含むビニル付加ノルボルネン型ポリマー：
式Ａにより表されるノルボルネン型モノマーから誘導される第１のタイプの反復単位：
【化２５】
2013513705.tif 000006
ここにおいて、式Ａに関し、ｍは０〜３であり、Ｒ９、Ｒ１０、Ｒ１１およびＲ１２の少なくとも１つは、四級化することができることを特徴とする官能基（ＦＧ）であり、他のものは、独立して、水素、Ｃ１〜Ｃ５アルキル、アリールまたはアルキル−アリール基である；
ならびに、
式Ｂにより表されるノルボルネン型モノマーから誘導される第２のタイプの反復単位：
【化２６】
2013513705.tif 000007
ここにおいて、式Ｂに関し、ｍは先に定義したとおりであり、Ｒ１３、Ｒ１４、Ｒ１５およびＲ１６の少なくとも１つは、置換もしくは非置換マレイミド−アルキル側基［ここにおいて、アルキルはＣ１〜Ｃ６アルキルである］または他の架橋性基であり、他のものは、独立して、水素、Ｃ１〜Ｃ１２アルキル、アルキル−アリールまたはメチルグリコールエーテルである。
（発明２）第１のタイプの反復単位の官能基を四級化してＮ＋（ＣＨ３）３ＯＨ−を含ませる、発明１のビニル付加ノルボルネン型ポリマー。
（発明３）以下を含むＲＯＭＰノルボルネン型ポリマー：
式Ｉにより表されるノルボルネン型モノマーから誘導される第１のタイプの反復単位：
【化２７】
2013513705.tif 000008
ここにおいて、式Ｉに関し、
ｍは０〜３であり、
Ｒ１、Ｒ２、Ｒ３およびＲ４の少なくとも１つは、式ＩＩＩ： 
【化２８】
2013513705.tif 000009
により表される側基であり、
ここにおいて、式ＩＩＩに関し、Ｒ’は、−（ＣＨ２）ｐ−［式中、ｐは０〜１２である］から選択され；Ａｒは１以上の芳香族環を有する芳香族基であり；Ｒ’’は、−（ＣＨ２）ｐ−［式中、ｐは０〜１２である］または−（ＣＨ２）ｓ−Ｏ−（ＣＨ２）ｔ−［式中、ｓおよびｔは、独立して１〜６である］から選択され、そして、Ｒ’’は、共有結合により第四アンモニウム官能基の窒素につながっており、Ｒａ、ＲｂおよびＲｃはそれぞれ、独立して、メチル、アリールまたはアルキル−アリール基［ここにおいて、アルキルはＣ１〜Ｃ４アルキルである］から選択され、そして、ｖは、１または２のいずれかであり、
Ｒ１、Ｒ２、Ｒ３およびＲ４の他のものは、独立して、水素、Ｃ１〜Ｃ１０アルキル、アリール、またはアルキル−アリール基である；ならびに、
式ＩＩにより表されるノルボルネン型モノマーから誘導される第２のタイプの反復単位：
【化２９】
2013513705.tif 000010
ここにおいて、式ＩＩに関し、
ｍは先に定義したとおりであり、
Ｒ５、Ｒ６、Ｒ７およびＲ８の少なくとも１つは、置換もしくは非置換マレイミド−アルキル側基［ここにおいて、アルキルは、Ｃ１〜Ｃ６アルキルである］、またはＮＢＣＨ２ＯＣＨ２ＮＢ、ＮＢＣＨ２（ＯＣＨ２ＣＨ２）２ＯＣＨ２ＮＢ、ＮＢＣＨ２（ＯＣＨ２ＣＨ２）３ＯＣＨ２ＮＢ−、ＮＢ−ＮＢ、ＮＢ−Ｅｔ−ＮＢ、ＮＢ−Ｂｕ−ＮＢ、ＮＢ−Ｈｘ−ＮＢ、ＮＢＣ６Ｈ４ＮＢおよびＮＢＣＨ２Ｃ６Ｈ４ＣＨ２ＮＢから選択され、
Ｒ５、Ｒ６、Ｒ７およびＲ８の他のものは、独立して、水素、Ｃ１〜Ｃ１２アルキル、または末端ハロゲン化アルキル、アルキル−アリール［ここにおいて、アリール部分はハロゲン化されていてもよく、アルキルはＣ１〜Ｃ１２である］、またはメチルグリコールエーテル−ＣＨ２−（ＯＣＨ２ＣＨ２）ｑ−ＯＭｅ［式中、ｑは１〜４である］から選択され、
ただし、
シクロペンタジエンおよびシクロオクテンは架橋剤部分ではないという条件が付く。
（発明４）発明２のビニル付加ポリマーを含む、水酸化物伝導性アニオン性アルカリ交換膜。
（発明５）発明３のＲＯＭＰポリマーを含む、水酸化物伝導性アニオン性アルカリ交換膜。
（発明６）発明４または５の水酸化物伝導性アニオン性アルカリ交換膜を含むアルカリ燃料電池。
（発明７）活性層を有する第１の電極を含み、前記活性層が発明２または発明４のポリマーを含む、アルカリ燃料電池。
（発明８）発明４の水酸化物伝導性アニオン性アルカリ交換膜と、活性層を有する第１の電極とを含むアルカリ燃料電池であって、前記活性層が発明２のビニル付加ポリマーを含む、前記アルカリ燃料電池。
（発明９）発明５の水酸化物伝導性アニオン性アルカリ交換膜と、活性層を有する第１の電極とを含むアルカリ燃料電池であって、前記活性層が発明２のビニル付加ポリマーを含む、前記アルカリ燃料電池。
（発明１０）発明５の水酸化物伝導性アニオン性アルカリ交換膜と、活性層を有する第１の電極とを含むアルカリ燃料電池であって、前記活性層が発明３のビニル付加ポリマーを含む、前記アルカリ燃料電池。
【手続補正３】
【補正対象書類名】明細書
【補正対象項目名】００５７
【補正方法】変更
【補正の内容】
【００５７】
[0043]本開示のいくつかの態様の観点をさらに例示するために、以下の実施例および理論実施例を提供する。そのような実施例は、そのような態様の範囲を限定するものではなく、例示するために示すに過ぎないことを、理解すべきである。